(57)【要約】【課題】  磁気記録媒体の配置されている空間を減圧することなく風損を低減して駆動電流を低下させる。【解決手段】  ディスク状の磁気記録媒体３と、該磁気記録媒体３を固定するロータ７と該ロータ７を回転自在に支持するとともにロータ７の周囲に配置される円環状の励磁コイル８を有するステータ９とを備える電動モータ５と、該電動モータ５により回転させられる磁気記録媒体３に近接させられて、該磁気記録媒体３に記録されている磁気情報を読み取る磁気ヘッド４と、磁気記録媒体３と電動モータ５との間に配置され、電動モータ５の励磁コイル８を覆う略平板状のシールド部材６とを備え、該シールド部材６と磁気記録媒体３との距離が０．５ｍｍ以下に設定されている磁気情報記録装置１を提供する。【選択図】      図１
2006286153.tif 000002
【特許請求の範囲】
【請求項１】
ディスク状の磁気記録媒体と、
該磁気記録媒体を固定するロータと該ロータを回転自在に支持するとともにロータの周囲に配置される円環状の励磁コイルを有するステータとを備える電動モータと、
該電動モータにより回転させられる磁気記録媒体に近接させられて、該磁気記録媒体に記録されている磁気情報を読み取る磁気ヘッドと、
前記磁気記録媒体と前記電動モータとの間に配置され、電動モータの励磁コイルを覆う略平板状のシールド部材とを備え、
該シールド部材と前記磁気記録媒体との距離が０．５ｍｍ以下に設定されている磁気情報記録装置。
【請求項２】
前記シールド部材が、前記磁気記録媒体との間に、前記磁気ヘッドを挿入するための第１の隙間とそれよりも狭い第２の隙間とを形成するように、ヘッド挿入領域とヘッド非挿入領域とを形成する段差を備え、
前記ヘッド非挿入領域におけるシールド部材と磁気記録媒体との距離が０．５ｍｍ以下に設定されている請求項１に記載の磁気情報記録装置。
【請求項３】
シールド部材のヘッド挿入領域とヘッド非挿入領域との段差位置の周縁に切欠が設けられている請求項２に記載の磁気情報記録装置。
【請求項４】
ロータと該ロータを回転自在に支持するとともにロータの周囲に配置される円環状の励磁コイルを有するステータとを備える電動モータと、該電動モータの励磁コイルを覆う略平板状のシールド部材とを備え、
前記ロータに、ディスク状の磁気記録媒体を突き当てる記録媒体突当面が設けられ、
該記録媒体突当面を含む平面と前記シールド部材の表面との距離が０．５ｍｍ以下に設定されている記録媒体駆動装置。
【請求項５】
前記シールド部材が、磁気記録媒体に記録されている磁気情報を読み取る磁気ヘッドを挿入するための第１の隙間とそれよりも狭い第２の隙間とを磁気記録媒体との間に形成するように、ヘッド挿入領域とヘッド非挿入領域とを形成する段差を備え、
前記ヘッド非挿入領域におけるシールド部材と前記記録媒体突当面を含む平面との距離が０．５ｍｍ以下に設定されている請求項４に記載の記録媒体駆動装置。
【請求項６】
シールド部材のヘッド挿入領域とヘッド非挿入領域との段差位置の周縁に切欠が設けられている請求項５に記載の記録媒体駆動装置。
【発明の詳細な説明】
【技術分野】
【０００１】
本発明は、磁気情報記録装置および記録媒体駆動装置に関するものである。
【背景技術】
【０００２】
従来、特許文献１の磁気情報記録装置が知られている。特許文献１に開示された磁気情報記録装置は、ヘッド挿入領域とヘッド非挿入領域との間に段差を有するシールド部材を備えている。シールド部材は、モータコイルとディスク状の磁気記録媒体との間に配置され、モータコイルの磁場により磁気ヘッドの読み取りエラーが生じるのを防止する機能がある。このため、磁気ヘッドが挿入されるヘッド挿入領域における磁気記録媒体とシールド板との隙間寸法は、磁気ヘッドを挿入可能な寸法に設定されている。通常の、この寸法は約１ｍｍ程度である。
【０００３】
一方、ヘッド非挿入領域においては、シールド板は、モータコイル側から磁気記録媒体側に塵埃が飛来するのを防止するためのダストカバーとして機能している。このヘッド非挿入領域においては、その高さ寸法に制限がないが、特許文献１においては、モータコイルへの配線のためのフレキシブルプリント基板をモータコイルに沿って、シールド部材とモータコイルとの間に配置するため、該フレキシブルプリント基板を収容可能な寸法だけヘッド挿入部からリフトし、磁気記録媒体に近接しないように設計されるのが一般的である。
【０００４】
通常、このリフト量は約０．３ｍｍ程度である。したがって、ヘッド非挿入領域におけるシールド板と磁気記録媒体との隙間寸法は一般に約０．７ｍｍ以上に設定される。
また、磁気記録媒体の回転に伴う風損を防止する目的で、磁気記録媒体の配置されている空間内を減圧する技術が開示されている（例えば、特許文献２参照。）。
【特許文献１】米国特許第６４８６５７８号明細書
【特許文献２】特開２００１−２３３４６号公報
【発明の開示】
【発明が解決しようとする課題】
【０００５】
しかしながら、特許文献１の磁気情報記録装置においては、高速回転させられる磁気記録媒体の回転に伴う風損が大きく、電流の増大が問題となっている。電流の増大は、磁気情報記録装置を搭載する情報機器の消費電力を増大させ、バッテリの持続時間を低減させてしまう不都合がある。
また、特許文献２に開示されているように磁気記録媒体の配置されている空間を減圧することができれば、風損の影響を低減することができることは明らかであるが、そのような減圧状態に維持するための密封構造が困難である。
【０００６】
本発明は上述した事情に鑑みてなされたものであって、磁気記録媒体の配置されている空間を減圧することなく風損を低減して駆動電流を低下させることができる磁気情報記録装置および記録媒体駆動装置を提供することを目的としている。
【課題を解決するための手段】
【０００７】
上記目的を達成するために本発明は、以下の手段を提供する。
本発明は、ディスク状の磁気記録媒体と、該磁気記録媒体を固定するロータと該ロータを回転自在に支持するとともにロータの周囲に配置される円環状の励磁コイルを有するステータとを備える電動モータと、該電動モータにより回転させられる磁気記録媒体に近接させられて、該磁気記録媒体に記録されている磁気情報を読み取る磁気ヘッドと、前記磁気記録媒体と前記電動モータとの間に配置され、電動モータの励磁コイルを覆う略平板状のシールド部材とを備え、該シールド部材と前記磁気記録媒体との距離が０．５ｍｍ以下に設定されている磁気情報記録装置を提供する。
【０００８】
本発明によれば、電動モータの作動によりステータに対してロータを回転させ、ロータに固定されているディスク状の磁気記録媒体を回転させた状態で、磁気ヘッドを磁気記録媒体に近接させて、磁気記録媒体に記録されている磁気情報を読み取ることができる。この場合に、磁気記録媒体と電動モータとの間には、電動モータの励磁コイルを覆うシールド部材が設けられているので、電動モータの励磁コイルにより発生し磁気ヘッドに作用する磁場がシールド部材により弱められ、読み取りエラーが発生することを防止できる。
【０００９】
シールド部材と磁気記録媒体との間には空気が存在するため、磁気記録媒体が回転する際に、シールド部材との隙間に存在する空気が抵抗となる、いわゆる風損が発生する。発明者は、上記隙間の寸法と風損との関係に着目し、研究した結果、従来、磁気記録媒体との接触を回避するために０．７ｍｍ以上に比較的広く確保されていたシールド部材と磁気記録媒体との間の隙間寸法を、逆に０．５ｍｍ以下に狭く設定することにより、磁気記録媒体の回転によりシールド部材との間に発生する風損を十分に低減させることができるという知見を得た。
【００１０】
したがって、この知見に基づいて構成された本発明によれば、磁気記録媒体の周囲を減圧状態にすることなく、磁気記録媒体が回転駆動させられる際に発生する風損を低減して駆動電流を低下させることができる。その結果、本発明に係る磁気情報記録装置は、駆動電流の低減により発熱を抑えるとともに、バッテリの消耗を抑えて長時間駆動することができる。
【００１１】
上記発明においては、前記シールド部材が、前記磁気記録媒体との間に、前記磁気ヘッドを挿入するための第１の隙間とそれよりも狭い第２の隙間とを形成するように、ヘッド挿入領域とヘッド非挿入領域とを形成する段差を備え、前記ヘッド非挿入領域におけるシールド部材と磁気記録媒体との距離が０．５ｍｍ以下に設定されていることが好ましい。
【００１２】
このように構成することで、ヘッドを挿入するために広い隙間をあけて形成される一部のヘッド挿入領域以外の大部分のヘッド非挿入領域において、磁気記録媒体が回転駆動される際の風損を効率的に抑え、電動モータの駆動電流を抑制することができる。
【００１３】
また、上記発明においては、シールド部材のヘッド挿入領域とヘッド非挿入領域との段差位置の周縁に切欠が設けられていることが好ましい。
このように構成することで、ヘッド挿入領域におけるシールド部材と磁気記録媒体との間の隙間を確保し、かつ、ヘッド非挿入領域におけるシールド部材と磁気記録媒体との隙間を詰めることで両者間の段差が大きくなる。本発明によれば、段差位置の周縁に切欠を設けることで、プレス加工によるシールド部材の形成を容易にし、かつ、プレス加工後のヘッド非挿入領域におけるシールド部材の平坦度を向上して、磁気記録媒体との隙間を小さくしてもシールド部材が磁気記録媒体に接触しないようにすることができる。
【００１４】
また、本発明は、ロータと該ロータを回転自在に支持するとともにロータの周囲に配置される円環状の励磁コイルを有するステータとを備える電動モータと、該電動モータの励磁コイルを覆う略平板状のシールド部材とを備え、前記ロータに、ディスク状の磁気記録媒体を突き当てる記録媒体突当面が設けられ、該記録媒体突当面を含む平面と前記シールド部材の表面との距離が０．５ｍｍ以下に設定されている記録媒体駆動装置を提供する。
【００１５】
本発明によれば、軸体に設けられた記録媒体突当面に平坦なディスク状の磁気記録媒体を突き当てて固定すると、電動モータの励磁コイルを覆うシールド部材と磁気記録媒体との隙間が０．５ｍｍ以下に設定される。したがって、本発明に係る記録媒体駆動装置を用いることにより、磁気記録媒体の周囲を減圧状態にすることなく、磁気記録媒体が回転駆動させられる際に発生する風損を低減して駆動電流を低下させることができる。その結果、駆動電流の低減により発熱を抑えるとともに、バッテリの消耗を抑えて長時間駆動することができる。
【００１６】
上記発明においては、前記シールド部材が、磁気記録媒体に記録されている磁気情報を読み取る磁気ヘッドを挿入するための第１の隙間とそれよりも狭い第２の隙間とを磁気記録媒体との間に形成するように、ヘッド挿入領域とヘッド非挿入領域とを形成する段差を備え、前記ヘッド非挿入領域におけるシールド部材と前記記録媒体突当面を含む平面との距離が０．５ｍｍ以下に設定されていることが好ましい。
【００１７】
このように構成することで、ヘッドを挿入するために広い隙間をあけて形成される一部のヘッド挿入領域以外の大部分のヘッド非挿入領域において、軸体の記録媒体突当面に突当状態に固定した磁気記録媒体が回転駆動される際の風損を効率的に抑え、電動モータの駆動電流を抑制することができる。
【００１８】
また、上記発明においては、シールド部材のヘッド挿入領域とヘッド非挿入領域との段差位置の周縁に切欠が設けられていることが好ましい。
このようにすることで、プレス加工によるシールド部材の形成を容易にし、かつ、プレス加工後のヘッド非挿入領域におけるシールド部材の平坦度を向上して、軸体の記録媒体突当面に突当状態に固定される磁気記録媒体との隙間が小さくてもシールド部材が磁気記録媒体に接触しないようにすることができる。
【発明の効果】
【００１９】
本発明に係る磁気情報記録装置および記録媒体駆動装置によれば、磁気記録媒体の配置されている空間を減圧することなく風損を低減して駆動電流を低下させ、駆動時の発熱の低減および消費電力の低減を図り、長時間にわたり駆動することできるという効果を奏する。
【発明を実施するための最良の形態】
【００２０】
以下、本発明の一実施形態に係る磁気情報記録装置および記録媒体駆動装置について図１〜図４を参照して説明する。
本実施形態に係る磁気情報記録装置１は、図１および図２に示されるように、記録媒体駆動装置２と、磁気記録媒体３と、該磁気記録媒体３に記録されている磁気情報を読み取る磁気ヘッド４とを備えている。
また、本実施形態に係る記録媒体駆動装置２は、前記磁気記録媒体３を回転駆動する電動モータ５と、前記磁気記録媒体３と電動モータ５との間に配置される略平板状のシールド部材６とを備えている。
【００２１】
前記磁気記録媒体３は、中央に貫通孔３ａを有する平坦なディスク状に形成されている。
前記電動モータ５は、前記磁気記録媒体３を固定するロータ７と、該ロータ７の周囲に配置される円環状の励磁コイル８を備えるステータ９と、該ステータ９に対してロータ７を回転自在に支持する軸受１０とを備えている。
【００２２】
前記ロータ７は、前記磁気記録媒体３の貫通孔３ａに嵌合する嵌合部７ａと、該嵌合部７ａに貫通孔３ａを嵌合させた状態でロータ７に固定される磁気記録媒体３を突き当てる段部（記録媒体突当面）７ｂとを備えている。また、ロータ７の外周には、複数の永久磁石１１が周方向に沿って円環状に配列されている。永久磁石１１は、断面略矩形に形成され、軸線方向に隣接配置される鍔状のフランジ部１２と、半径方向内方に隣接配置されるヨーク部１３とにより支持されている。また、ロータ７は全体としてカップ状に形成され、その中央に、後述する軸受１０のシャフト１４を嵌合させる嵌合孔７ｃを備えている。図中、符号１５は、磁気記録媒体３をロータ７に固定した状態に維持する板バネであり、シャフト１４の先端に設けられたネジ孔１４ａにネジの締結により固定されるようになっている。
【００２３】
前記ステータ９は、ベース１６と、該ベース１６に固定され、前記ロータ７の永久磁石１１に対して、全周にわたり半径方向外方に微小間隔をあけて対向配置される電磁石１７を備えている。ベース１６には、後述する軸受１０のハウジング１８を嵌合させる嵌合孔１６ａを有するボス部１９が備えられている。前記電磁石１７は、ステータコア２０と該ステータコア２０に巻き付けられた励磁コイル８とから構成されている。
【００２４】
ステータコア２０は、１以上の金属板により構成され、円環状のコアバック２０ａと、周方向に間隔をあけてコアバック２０ａから半径方向内方に延びる複数の歯極２０ｂとを備えている。前記励磁コイル８は、各歯極２０ｂに巻き付けられることにより、周方向に間隔をあけて複数配列される電磁石１７を構成し、かつ、全体としてロータ７全周を取り囲む円環状に配置されている。
【００２５】
前記軸受１０は、例えば、図に示す例では、流体動圧軸受（以下、流体動圧軸受１０とも言う。）により構成されている。
流体動圧軸受１０は、図１に示されるように、ステータ９のボス部１９に固定されるハウジング１８と、該ハウジング１８に微小隙間をあけて収容されるシャフト１４と、ハウジング１８とシャフト１４との微小隙間に充填されたオイル（図示略）とを備えている。シャフト１４は、略円筒状に形成された筒状部１４ｂの長手方向の途中位置に半径方向外方に延びる鍔状のスラストプレート１４ｃを備えている。
【００２６】
ハウジング１８には、前記筒状部１４ｂを隙間をあけて貫通させる貫通孔２１ａを備え、略リング板状に形成されたアッパープレート２１が、ハウジング１８との間にスラストプレート１４ｃを挟むように固定されている。アッパープレート２１の貫通孔２１ａは、板厚方向の外方に向かって漸次広くなるテーパ内面状に形成され、貫通孔２１ａ内に挿入されたシャフト１４の筒状部１４ｂ外周面との間に、オイルの表面張力を利用してオイルが外部に漏れるのを防止するキャピラリーシールを構成している。
【００２７】
前記シャフト１４の筒状部１４ｂ外周面および前記スラストプレート１４ｃの厚さ方向の表面には、それぞれヘリングボーン溝と呼ばれる動圧発生溝（図示略）が複数形成されている。ハウジング１８に対してシャフト１４を回転させると、ヘリングボーン溝に沿ってオイルが集められ、筒状部１４ｂとハウジング１８との間においては、シャフト１４の長手方向の途中位置における圧力を全周にわたって増大させることにより、ハウジング１８に対してシャフト１４が半径方向に移動しないように支持されるようになっている。また、スラストプレート１４ｃとハウジング１８およびアッパープレート２１との間においては、スラストプレート１４ｃの半径方向の途中位置における圧力をスラストプレート１４ｃの厚さ方向の両側において増大させることにより、ハウジング１８に対してスラストプレート１４ｃが軸方向に移動しないよう支持されるようになっている。
【００２８】
前記磁気ヘッド４は、図２に示されるように、磁気記録媒体３の回転軸線Ａに平行間隔をあけて配置される中心軸線Ｂ回りに揺動させられるスイングアーム２２の先端に取り付けられている。磁気ヘッド４の表面には金属磁性膜（図示略）が形成されており、磁気記録媒体３の磁気記録層（図示略）に情報を記録するとともに、この磁気記録層に記録されている情報を読み取ることができるようになっている。磁気ヘッド４は、磁気記録媒体３の厚さ方向の両面に設けられた磁気記録層の情報を読み取るために２つ備えられている。各磁気ヘッド４は同時に動作する２本のスイングアーム２２の先端にそれぞれ固定されている。
【００２９】
一方の磁気ヘッド４およびこれを支持する一方のスイングアーム２２は、図１に示されるように、電動モータ５を構成する励磁コイル８と磁気記録媒体３との隙間に挿入されて、磁気記録媒体３の一表面に沿って移動させられるようになっている。他方の磁気ヘッド４およびこれを支持する他方のスイングアーム２２は、磁気記録媒体３の他の表面に沿って移動させられるようになっている。
【００３０】
前記シールド部材６は、図１に示されるように、磁気記録媒体３と前記電動モータ５の励磁コイル８との間に配置されている。シールド部材６は、例えば、マルテンサイト系ステンレス等の磁性材料により構成され、励磁コイル８により発生する磁束を遮断するように機能している。上述したように、磁気記録媒体３と励磁コイル８との間の一部の領域（ヘッド挿入領域）６ａには、前記磁気ヘッド４および該磁気ヘッド４を支持するスイングアーム２２が挿入されるので、その領域６ａにおけるシールド部材６は、磁気記録媒体３に対して磁気ヘッド４およびスイングアーム２２を挿入可能な隙間をあけて配置されている。
【００３１】
本実施形態に係る磁気情報記録装置１においては、ヘッド挿入領域６ａ以外のシールド部材６の大部分を占める領域（ヘッド非挿入領域）６ｂにおいて、磁気記録媒体３との間の隙間が０．５ｍｍ以下となるように設定されている。
すなわち、ロータ７の段部７ｂを含む平面とヘッド非挿入領域６ｂにおけるシールド部材との距離が０．５ｍｍ以下となるように構成されている。
【００３２】
したがって、シールド部材６においては、ヘッド挿入領域６ａとヘッド非挿入領域６ｂとの間に比較的大きな段差６ｃが形成されている。このため、本実施形態においては、図３に示されるように、シールド部材６の段差６ｃの位置の内周縁に、切欠２３が形成されている。また、段差６ｃによりヘッド挿入領域６ａに対してリフトしたヘッド非挿入領域６ｂのシールド部材６と励磁コイル８との間には、励磁コイル８への動力供給用の配線２４が敷設されている。
【００３３】
このように構成された本実施形態に係る磁気情報記録装置１および記録媒体駆動装置２の作用について以下に説明する。
本実施形態に係る磁気情報記録装置１によれば、電動モータ５の駆動により、ステータ９に対してロータ７を回転駆動し、ロータ７に固定されている磁気記録媒体３を回転させた状態で、スイングアーム２２の揺動によって磁気ヘッド４を磁気記録媒体３の表面に近接させ、磁気記録媒体３の磁気記録層に記録されている磁気情報を高速に順次読み取りあるいは記録することができる。ロータ７はステータ９に対して流体動圧軸受１０により回転自在に支持されているので、ステータ９に対するロータ７の回転によって、流体動圧軸受１０により、ロータ７が軸方向および半径方向の両方に移動しないように安定して回転させられる。その結果、磁気ヘッド４を磁気記録媒体３に対して適正な位置に配置し続けることができ、読み取りあるいは書き込みエラーの発生を防止できる。
【００３４】
また、本実施形態に係る磁気情報記録装置１によれば、電動モータ５と磁気記録媒体３との間に磁性材料からなるシールド部材６が配置され、励磁コイル８全体がシールド部材６によって覆われているので、励磁コイル８において発生する磁束が磁気ヘッド４に作用しないように遮断して、読み取りあるいは書き込みエラーの発生を防止できる。
この場合において、本実施形態に係る磁気情報記録装置１においては、シールド部材６の大部分を占めるヘッド非挿入領域６ｂにおいて、シールド部材６が磁気記録媒体３との間に０．５ｍｍ以下の隙間をあけて配置されるので、磁気記録媒体３が高速回転させられたときに、その回転に伴って磁気記録媒体３の周囲に形成される気流が磁気記録媒体３の回転の抵抗となる、いわゆる風損の発生を抑えることができる。
【００３５】
すなわち、シールド部材６のヘッド非挿入領域６ｂにおけるシールド部材６と磁気記録媒体３との隙間寸法を横軸に、隙間寸法以外の他の条件を同じにしたときの電動モータ５の電流値の比率を縦軸にすると、図４に示されるように、隙間寸法が小さくなるほど、電動モータ５の電流値が減少していることを発見した。特に、隙間寸法が０．５ｍｍ以下となるときにその効果が高いことが判明した。
【００３６】
したがって、本実施形態に係る磁気情報記録装置１によれば、磁気記録媒体３の回転時に発生する風損を低減し、電動モータ５の電流を低減することができる。電流の低減により、電動モータ５における発熱量を低減することができるとともに、バッテリの消費量を低減することができ、より長時間にわたって駆動し続けることが可能となる。
また、駆動電流を低減することにより、磁気回路から発生するスイッチングノイズを低減し、騒音を低下させることができるという利点もある。
【００３７】
また、シールド部材６のヘッド挿入領域６ａとヘッド非挿入領域６ｂとの間の段差６ｃ位置の内周縁に、切欠２３が設けられているので、シールド部材６のプレス加工による製造時に、高い段差６ｃの形成により段差６ｃ位置に集中する応力を切欠２３によって逃がすことができる。したがって、製造されたシールド部材６の平坦度を向上することができる。特に、ヘッド非挿入領域６ｂにおけるシールド部材６を磁気記録媒体３の表面に０．５ｍｍ以下に近接させているので、シールド部材６の平坦度を向上することにより、磁気記録媒体３との隙間を確保し、シールド部材６と磁気記録媒体３との接触を防止することができる。
【００３８】
さらに、本実施形態に係る磁気情報記録装置１においては、ヘッド非挿入領域６ｂにおけるシールド部材６を磁気記録媒体３に近接させた結果、シールド部材６を励磁コイル８から遠ざけることができる。励磁コイル８から離れるに従って、励磁コイル８から発生する磁束の強度が低下するため、シールド部材６は強度が低下した磁束を遮断することにより、漏洩磁束をより低減することができる。漏洩磁束の低減により、磁気記録媒体３に記録されている磁気情報の保持を安定化させることができる。逆に、漏洩磁束の低減効果を同等にする場合には、シールド部材６の厚さ寸法を低減することができ、軽量化を図ることができる。
【００３９】
また、本実施形態に係る記録媒体駆動装置２によれば、ロータ７に設けた段部７ｂに突き当たるまで磁気記録媒体３の貫通孔３ａをロータ７の嵌合部７ａに嵌合させることにより、磁気記録媒体３とヘッド非挿入領域６ｂにおけるシールド部材６との隙間が０．５ｍｍ以下になるように取り付けることができる。これにより、上記効果を奏する磁気情報記録装置を構成することができる。
【００４０】
なお、本実施形態においては、ステータ９に対してロータ７を回転自在に支持する軸受として流体動圧軸受１０を採用した。流体動圧軸受１０は、ハウジング１８内においてオイルによりシャフト１４を浮上させた状態で回転させるため、摩擦抵抗が少なく、駆動電流が少なくて済み、また、低騒音であるという利点がある。しかし、本発明は、これに限定されるものではなく、オイル以外の流体を利用した流体動圧軸受１０、他の形式の流体動圧軸受１０あるいはボールベアリング等の他の任意の軸受１０を採用してもよい。
【００４１】
また、シールド部材６のヘッド挿入領域６ａとヘッド非挿入領域６ｂとの段差６ｃ位置に切欠２３を設けることでプレス加工性を向上することとしたが、これに代えて、段差６ｃにおける勾配を緩やかにし、例えば、約２０°〜４０°、好ましくは約３０°に設定することにしてもよい。
また、シールド部材６の材料としてマルテンサイト系ステンレスを例示したが、これに代えて、パーマロイやセメンジュール等によって構成してもよい。
【００４２】
また、本実施形態においては、磁気記録媒体３の厚さ方向の両面に設けられた磁気記録層の情報を読み取るために、磁気ヘッド４を２つ有する場合について説明したが、これに代えて、磁気記録媒体３のいずれか片面の情報のみを読み取るように磁気ヘッド４を１つだけ有する方式のものを採用してもよい。
【図面の簡単な説明】
【００４３】
【図１】本発明の一実施形態に係る磁気情報記録装置の一部を破断して示す部分断面図である。
【図２】図１の磁気情報記録装置の平面図である。
【図３】図１の磁気情報記録装置に用いられるシールド部材の平面図である。
【図４】図１の磁気情報記録装置に用いられるシールド部材と磁気記録媒体との隙間寸法と、電動モータの駆動電流値との関係を示すグラフである。
【符号の説明】
【００４４】
３  磁気記録媒体
４  磁気ヘッド
５  電動モータ
６  シールド部材
６ａ  ヘッド挿入領域
６ｂ  ヘッド非挿入領域
６ｃ  段差
７  ロータ
７ｂ  記録媒体突当面
８  励磁コイル
９  ステータ
２３  切欠
【図１】
2006286153.tif 000003
【図２】
2006286153.tif 000004
【図３】
2006286153.tif 000005
【図４】
2006286153.tif 000006